(57)【特許請求の範囲】
【請求項１】
配電盤キャビネットあるいは配電盤キャビネットの枠フレームのためのパッケージであって、配電盤キャビネットあるいは配電盤キャビネットの枠フレームは、鉛直の枠成形材を介して互いに結合されている底構造群および天井構造群を有している形式のものにおいて、
前記パッケージが、底側および天井側のカバー（２０）を有しており、該カバー（２０）が、前記底構造群および天井構造群（１０）に被せられていて、カバー（２０）の環状の縁（２１，２２）は、底構造群および天井構造群（１０）上に延びていて、かつ配電盤キャビネットあるいは配電盤キャビネットの枠フレームの鉛直面上に部分的に延びていて、
前記パッケージが、さらに２つの側方ライニング（３０）を有しており、この側方ライニングは、結合区分（３２）と２つの脚部（３１）とを備えてＵ字形に形成されており、
両側方ライニング（３０）の結合区分（３２）が、配電盤キャビネットあるいは配電盤キャビネットの枠フレームの、互いに平行な２つの鉛直面にわたって延びており、脚部（３１）が、配電盤キャビネットあるいは配電盤キャビネットの枠フレームの隣接する鉛直面を少なくとも部分的に覆っていて、
側方ライニング（３０）が、両カバー（２０）の縁（２１，２２）と、配電盤キャビネットあるいは配電盤キャビネットの枠フレームとの間に保持されていることを特徴とする、配電盤キャビネットあるいは配電盤キャビネットの枠フレームのためのパッケージ。
【請求項２】
分解された配電盤キャビネットあるいは配電盤キャビネットの枠フレームの底構造群および天井構造群が、底側および天井側のカバー（２０）から組み立てられているパッケージ（２０）内に収容されている、請求項１記載のパッケージ。
【請求項３】
パッケージ部分が片面あるいは両面を厚紙で被覆された段ボール紙から成っていることを特徴とする、請求項１または２記載のパッケージ。
【発明の詳細な説明】
【０００１】
公知の引き渡し形状では、配電盤キャビネットは分解された状態で顧客に供給される。このために配電盤キャビネットの個々の部分は個別的にあるいは群にまとめてパッケージされる。顧客は次いで個々の構成部分をパッケージから取り出し、配電盤キャビネットを組み立てることができる。ところで、組み立てられた配電盤キャビネットを中間貯蔵し、あるいは更に搬送しなければならないことがしばしば生ずる。しかしながら配電盤キャビネットはもはやパッケージによって保護されていないので、損傷が生じることがある。したがって、組み立てられた配電盤キャビネットのために顧客の側でパッケージし直すことが行われている。
【０００２】
ＤＥ ４４ １４８１３ から冷蔵庫用のパッケージが公知である。このパッケージは底側のカバーと天井側のカバーとを有している。冷蔵庫は底側のカバー内に設置することができる。天井側のカバーは冷蔵庫の天井の上にのせられる。底側のカバーと天井側のカバーとの間で側方ライニングが延びており、この側方ライニングは織物ホースとして構成されている。底側のカバーと天井側のカバーとを結合するために締めバンドが使用される。
【０００３】
本発明の課題は、パッケージ費を著しく減少させることができる配電盤キャビネットのためのパッケージを提供することである。
【０００４】
この課題は請求項１の特徴によって解決される。
【０００５】
要するに本発明によれば配電盤キャビネットの構成部分のためのパッケージを機能を変えて、組み立てられた配電盤キャビネットのパッケージのためにも役立ち得るようにする。
【０００７】
本発明の好ましい１実施形態では、単数又は複数の側方ライニングが、単数又は複数の配電盤キャビネット側方部分、例えば側壁、キャビネットドアなどのためのパッケージとして使用可能であるようにすることもできる。要するに本発明によれば、底構造群及び天井構造群も、また配電盤キャビネット側方部分も配電盤キャビネットの構成部分として別個にパッケージすることができる。まさにこれらの構成部分は、配電盤キャビネットが組み立てられた状態において配電盤キャビネットの上張りすべき側面を固定する。要するにこれらの構成部分は本発明によれば、所属のパッケージが、配電盤キャビネットが組み立てられた場合においても、再びこれらの構成部分を取り囲むパッケージとして使用し得るように、パッケージされる。
【０００８】
完全に組み立てられた配電盤キャビネットをわずかな経費で迅速かつ簡単に取り囲み得るようにするために、本発明の可能な１実施形態では、底側のカバー及び天井側のカバーがそれぞれ１つの底を有しており、この底から、周方向に回っている縁が折り曲げられており、配電盤キャビネットが組み立てられた状態において、底が底構造群及び天井構造群の底側の外面及び天井側の外面に接触しており、かつ縁が底構造群及び天井構造群から間隔をおいて配置されており、したがって底構造群及び天井構造群と、縁との間に差し込み範囲が生ぜしめられ、この差し込み範囲内に側方ライニングの差し込み付加部が挿入可能である。この場合配電盤キャビネットをパッケージすることは次のようにして行うことができる。すなわちまず配電盤キャビネットの個々の構成部分を部分パッケージから取り出す。次いでカバーの一方を地面上に置き、その際カバーの縁は上方に向けられている。次いでこのカバーの底上に配電盤キャビネットを設置することができる。次いで側方ライニングの差し込み付加部を底の縁と底構造群との間の差し込み範囲内に挿入する。次いで、挿入された側方ライニング上に、天井構造群を覆う第２のカバーをのせることができる。この場合側方ライニングの上方の差し込み付加部は第２のカバーにおける差し込み範囲内に達する。このようにして組み立てられたパッケージは次いで接着テープ又は締めバンドによって固定することができる。
【０００９】
組み立てられた配電盤キャビネットのためのパッケージエレメントとしてのその機能において、側方ライニングは次のように構成しておくことができる。すなわち側方ライニングが互いに平行に間隔をおいている２つの脚部を有しており、これらの脚部は結合区分によって互いにＵ形に結合されており、結合区分が配電盤キャビネット面を完全に覆い、かつ脚部が該配電盤キャビネット面に接続している配電盤キャビネット面を少なくとも部分的に覆うようにする。この場合特に、組み立てられた配電盤キャビネットをパッケージするために、２つのＵ形の側方ライニングを使用することができ、これらの側方ライニングの脚部は互いに向き合っている。
【００１０】
しかしながら、側方ライニング２つの互いに垂直な脚部を有しており、これらの脚部はそれぞれ１つの配電盤キャビネット面を少なくとも部分的に覆うようにすることも可能である。
【００１１】
本発明の好ましい１実施形態では、パッケージ部分は片面あるいは両面を厚紙で被覆された段ボール紙から成っている。この材料は充分な安定性を有していて、組み立てられた配電盤キャビネットの大きな側面も上張りすることが可能であり、その場合補強のための付加的な手段を必要とすることはない。更に段ボール紙は簡単にリサイクルすることができる。
【００１２】
以下においては図面に示した実施例により本発明を詳説する。
【００１３】
図１においては部分斜視図で配電盤キャビネット枠フレームが示されており、これは底構造群１０及び天井構造群１０を有している。底構造群１０は鉛直の枠成形材１１を介して天井構造群１０と結合されている。天井構造群１０は上方の天井板１２によって閉じられている。配電盤キャビネット枠フレームはパッケージによって取り囲むことができる。パッケージは大体において４つの構成部分から成っている。すなわちこれらの構成部分は２つのカバー２０と２つの側方ライニング３０とである。カバー２０と側方ライニング３０とはそれぞれ同一構造に構成されている。
【００１４】
カバー２０は平らな底２３を有しており、この底から縁２１，２２が直角に折り曲げられている。縁２１，２２は周方向に回るように構成されている。側方ライニング３０は、図２に示すように、互いに平行な２つの脚部３１を有しており、これらの脚部は結合区分３２によって互いに結合されている。配電盤キャビネット枠フレームをパッケージするために、底構造群１０がカバー２０の底２３上に置かれる。この場合カバー２０の縁２１，２２は底構造群１０に対して間隔をおいており、したがって周方向に回る差し込み範囲２４が生ずる。この差し込み範囲２４内に側方ライニング３０の差し込み付加部を挿入することができる。図２から分かるように、側方ライニング３０の両方の結合区分３２は配電盤キャビネット枠フレームの２つの面を覆う。直角に接続している脚部３１は配電盤キャビネット枠フレームの残りの面を部分的に覆う。この場合両方の側方ライニング３０の脚部３１の端区分３３は互いに間隔をおいている。端区分３３が互いに重なり合うようにすることも考えられる。
【００１５】
パッケージの完全化は、図３に示すように、別のカバー２０によって行われる。このカバー２０は側方ライニング３０上に差しはめられる。この場合側方ライニング３０の上方の差し込み付加部は、縁２１，２２と天井構造群１０との間に形成されている差し込み範囲２４内に突入する。上方のカバー２０が組み立てられた状態において、底２３は配電盤キャビネット枠フレームの天井板１２上に接触する。個々のパッケージ部分を固定するために、接着テープあるいは締め付けバンドを使用することができる。図１〜３に示したパッケージは配電盤キャビネットの個々の部分を上張りするためにも役立つ。底構造部分１０及び天井構造部分１０は一緒にパッケージユニットとしてパッケージすることができる。このためには両方のカバー２０が使用される。この場合両方の皿形のカバー２０は、重ねられた底構造群１０及び天井構造群１０のすべての面を完全に取り囲む。側方ライニング３０は前側及び後ろ側の配電盤キャビネットドアをパッケージするのに役立つ。この場合配電盤キャビネットドアのそれぞれは固有の側方ライニング３０内でパッケージされる。
【図面の簡単な説明】
【図１】部分的にパッケージにより取り囲まれている配電盤キャビネットの枠フレームを斜視図で示す。
【図２】図１の正面斜視図であるが、パッケージは更に完全化されている。
【図３】図１及び２の完全にパッケージされた配電盤キャビネットの枠フレームの側面斜視図である。
【符号の説明】
１０  底構造群及び天井構造群、  １１  鉛直の枠成形材、  １２  天井板、  ２０  カバー、  ２１  縁、  ２２  縁、  ２３  底、  ２４  差し込み範囲、  ３０  側方ライニング、  ３１  脚部、  ３２  結合区分、  ３３  端区分
【図１】
0003581656.tif 000002
【図２】
0003581656.tif 000003
【図３】
0003581656.tif 000004